(57)【要約】ガラス製品成形機の区電箱の基部プレート（２２）に装着するための、あらかじめ組み立てられた歯車ボックスを含むプランジャフットアセンブリ。あらかじめ組み立てられた歯車ボックス（３０）は、出力歯車内に内部ねじ式中央開口部（４６）を備える入力歯車および出力歯車（３２、３４）を有する。中空外部ねじ式シャフト（５２）は、出力歯車の内部ねじ式開口部にねじ付けされ、出力歯車の内部ねじ式開口部出力歯車の内部ねじ式開口部から伸長する。プランジャ支持材は、歯車ボックスの出力歯車の回転が、プランジャ支持材を上昇および下降させるように、中空外部ねじ式シャフトに装着される。プランジャ支持材（５６）は、少なくとも１つのプランジャ（２６）を、支持材の面で、プランジャ開口部の空気ポートに装着するための上部面を有する。プランジャ支持材はまた、プランジャ上昇、プランジャ下降、およびプランジャ冷却用空気をプランジャ支持材に装着されたプランジャの空気ポートに送給するための空気通路と、支持材に装着されたプランジャから外部ねじ式シャフトの中空の内側に冷却用排気を送給するための冷却用空気排出路とを有する。少なくとも１つのテレスコープ用チューブアセンブリ（７０）は、区電箱の基部プレートに装着するための基部（７２）と、プランジャの上昇、プランジャの下降、およびプランジャ冷却用空気を受け取るための吸気ポート（７４、７６、７８）を備えるテレスコープ用チューブ（８０〜９０）と、プランジャ支持材内の空気通路に連結された出口とを有する。
2010540382.tif 000002
【特許請求の範囲】
【請求項１】
ガラス製品成形機の区電箱の基部プレート（２２）に装着するためのプランジャフットアセンブリであって、
前記区電箱の基部プレートに装着するためのあらかじめ組み立てられた歯車ボックス（３０）であって、内部ねじ式中央開口部（４６）を備える入力歯車（３２）および出力歯車（３４）を備えた、あらかじめ組み立てられた歯車ボックスと、
前記内部ねじ式中央開口部にねじ付けされ、前記内部ねじ式中央開口部から伸長する中空外部ねじ式シャフト（５２）と、
前記歯車ボックスの前記出力歯車の回転が前記プランジャ支持材を上昇および下降させるように、前記中空外部ねじ式シャフトに装着されたプランジャ支持材（５６）であって、上部面に前記プランジャ開口部の空気ポートを備えた少なくとも１つのプランジャ（２６）を装着するための前記面を備え、プランジャ上昇、プランジャ下降、およびプランジャ冷却用空気を前記プランジャ支持材に装着されたプランジャの空気ポートへと送給するための空気通路と、冷却用排気を前記支持材に装着されたプランジャから前記外部ねじ式シャフトの中空の内側へと送給するための冷却用空気排出路とを備えた、プランジャ支持材と、
前記区電箱の基部プレート（２２）に装着するための基部（７２）と、プランジャの上昇、プランジャの下降およびプランジャ冷却用空気を受け取るための吸気ポート（７４、７６、７８）を備えるテレスコープ用チューブ（８０〜９０）と、前記プランジャ支持材内の前記空気通路に連結された出口と、を備えた、少なくとも１つのテレスコープ用チューブアセンブリ（７０）と、
を有することを特徴とするプランジャフットアセンブリ。
【請求項２】
前記少なくとも１つのテレスコープ用チューブアセンブリ（７０）の前記吸気ポートは、前記テレスコープ用チューブアセンブリの前記基部（７２）上にある、請求項１に記載のプランジャフットアセンブリ。
【請求項３】
前記テレスコープ用チューブアセンブリ（７０）は、前記基部から吊設され、前記吸気ポートに接続される個別の上部吸気端部を有する、３つの外側チューブ（８０、８２、８４）と、前記外側チューブ内に摺動自在であり、前記プランジャ支持材（５６）に接続される個別の上部出口端部を有する、３つの内側チューブ（８６、８８、９０）とを含む、請求項２に記載のプランジャフットアセンブリ。
【請求項４】
前記プランジャ支持材（５６）は、前記中空外部ねじ式シャフト（５２）に装着されたプランジャフット（５８）と、前記プランジャフットに装着されたプランジャソールプレート（６０）であって、前記プランジャソールプレートに装着されたプランジャの空気吸入ポートの有効な連結のために、前記内側チューブの前記上部出口端部と、前記プランジャソールプレートの前記上部面上の出口端部とに連結された吸気端部を備える空気通路を有する、前記プランジャソールプレートとを含む、請求項３に記載のプランジャフットアセンブリ。
【請求項５】
前記内側チューブ（８６、８８、９０）の前記上部出口端部は、前記プランジャソールプレート（６０）の下面と前記プランジャフット（５８）を通って密封係合して伸長する、請求項１に記載のプランジャフットアセンブリ。
【請求項６】
前記内側チューブ（８６、８８、９０）の前記上部出口端部は、前記プランジャソールプレート（６０）の前記下面と密封係合している前記プランジャフット（５８）上のポケット（９２、９４、９６）の中に据えられる、拡張した端部を有する、請求項５に記載のプランジャフットアセンブリ。
【請求項７】
前記拡張した端部は、前記内側チューブの前記上部出口端部に固定される環状カラー（９８）と、前記プランジャソールプレートの前記下面との密封係合のために、前記カラーによって運ばれる、環状シール（１００）とを含む、請求項６に記載のプランジャフットアセンブリ。
【請求項８】
前記ソールプレート（６０）は、前記プランジャフット（５８）に対して浮くように装着される、請求項７に記載のプランジャフットアセンブリ。
【請求項９】
前記プランジャソールプレート（６０）は、前記プランジャソールプレートに装着されたプランジャからの冷却用排気を、前記プランジャフット（５８）を通って前記中空外部ねじ式シャフト（５２）へと送給するための通路を含む、請求項４に記載のプランジャフットアセンブリ。
【請求項１０】
前記プランジャフット（５８）は、前記中空外部ねじ式シャフトの上端を取り囲むポケット（１０２）を備える上部表面を含み、前記プランジャソールプレート（６０）は、プランジャ排気を、前記プランジャソールプレートを通って前記ポケットに、およびそこから前記中空外部ねじ式シャフトへと送給するための通路を含む、請求項９に記載のプランジャフットアセンブリ。
【請求項１１】
前記プランジャフット（５８）の前記上部表面上の前記ポケット（１０２）は、前記プランジャフットの中央に位置づけられ、前記内側チューブの前記上部出口端部は、前記プランジャフットの外周を囲う位置で、前記プランジャフットを通って伸長する、請求項１０に記載のプランジャフットアセンブリ。
【請求項１２】
前記プランジャフット（５８）および前記プランジャソールプレート（６０）を含む前記プランジャ支持材（５６）は、長方形である、請求項１１に記載のプランジャフットアセンブリ。
【請求項１３】
前記プランジャ支持材（５６）は、３つのプランジャ（２６）を前記支持材に装着するための空気通路および排気孔を有し、前記少なくとも１つのテレスコープ用チューブアセンブリ（７０）は、それぞれのプランジャに１つが前記支持材上に装着された、３つのテレスコープ用チューブアセンブリを備える、請求項３に記載のプランジャフットアセンブリ。
【発明の詳細な説明】
【技術分野】
【０００１】
本発明は、プレスアンドブローのガラス製品成形機のプランジャを上昇および下降させるためのプランジャフットアセンブリに関する。
【背景技術】
【０００２】
プレスアンドブローのガラス製品成形機において、溶解ガラスの塊は、ブランクの型に送給され、プランジャがブランクの型の中に移動してブランクの型穴の境界に接して溶解ガラスの塊を形成する。ブランクの型の中で形成されたガラスのブランクまたはパリソンは、次にさらなる加工のための吹込み成形に移送される。ブランクの型の段階で、プランジャまたは多重空洞形成機の中のプランジャは、プランジャフットアセンブリによって、異なるサイズのブランクの型に適合させるようにプランジャの高さを調整するために、および／または保守もしくは修理のために、プランジャを待避させるために運ばれる。
【発明の概要】
【発明が解決しようとする課題】
【０００３】
本発明の一般的な目的は、向上したプランジャフットアセンブリを提供することである。
【０００４】
本発明は、互いに別々に、または互いに組み合わせて実施することができるいくつかの態様を具現化する。
【課題を解決するための手段】
【０００５】
本発明の一態様によるプランジャフットアセンブリは、ガラス製品成形機の区電箱（section box）の基部プレートに装着するための、あらかじめ組み立てられた歯車ボックスを含む。あらかじめ組み立てられた歯車ボックスは、内部ねじ式中央開口部を備える入力歯車および出力歯車を有する。中空外部ねじ式シャフトは、出力歯車の内部ねじ式開口部にねじ付けされ、出力歯車の内部ねじ式開口部から伸長する。プランジャ支持材は、歯車ボックスの出力歯車の回転がプランジャ支持材を上昇および下降させるように、中空外部ねじ式シャフトに装着される。プランジャ支持材は、少なくとも１つのプランジャを、支持材の面で、プランジャ開口部の空気ポートに装着するための上部面を有する。プランジャ支持材はまた、プランジャ上昇、プランジャ下降、およびプランジャ冷却用空気を、プランジャ支持材に装着されたプランジャの空気ポートに送給するための空気通路と、支持材に装着されたプランジャから外部ねじ式シャフトの中空の内側に、冷却用空気を排気するための冷却用空気排出路とを有する。少なくとも１つのテレスコープ用チューブアセンブリは、区電箱の基部プレートに装着するための基部と、プランジャの上昇、プランジャの下降、およびプランジャ冷却用空気を受け取るための吸気ポートを備えるテレスコープ用チューブと、プランジャ支持材の中の空気通路に連結された出口とを有する。
【０００６】
本発明は、その追加的な目的、特徴、利点および態様とともに、以下の説明、添付の請求項および図面によって最良に理解されるものとする。
【図面の簡単な説明】
【０００７】
【図１】本発明の例示的な実施形態によってプランジャフットアセンブリがその内部に装着される、部分的に区分された区電箱フレームの斜視図である。
【図２】ほぼ図１の線２−２に沿って見た区電箱およびプランジャフットアセンブリの部分断面図である。
【図３】区電箱フレームから離れた、図１および図２のプランジャフットアセンブリの斜視図である。
【図４】図３に図示されるプランジャフットアセンブリの断面図である。
【図５】図３および図４に図示される、断片的に部分的に区分されたプランジャフットアセンブリの斜視図である。
【図６】プランジャソールプレートが除去された、図３のプランジャフットアセンブリの斜視図である。
【図７】図６のプランジャフットアセンブリの部分的に拡大された断片的斜視図である。
【図８】図３および図６の歯車ボックスおよび歯車ボックスドライブの断片的斜視図である。
【図９】図１〜図６および図８の歯車ボックスの拡大された斜視図である。
【発明を実施するための形態】
【０００８】
図１〜図２は、本発明の例示的な実施形態による、区電箱フレーム２４の基部プレート２２に装着された、プランジャフットアセンブリ２０の例示的な実施形態を図示する。図面に図示されるプランジャフットアセンブリ２０は、３つの横方向に一列に並べられ、離間されたプランジャ２６に適しているか、または適合され、このうち１つのみを図１および図２に図示する。本発明のプランジャフットアセンブリは、２つの、４つの、またはそれ以上のプランジャに装着するために容易に適合することができる。区電箱フレーム２４は、個々の区分ガラス製品プレスアンドブローのガラス製品成形機の作動区分の一部分である。
【０００９】
プランジャフットアセンブリ２０は、区電箱の基部プレート２２に装着された歯車ボックス３０を含む。歯車ボックス３０は、好ましくはあらかじめ組み立てられ、入力歯車３２（図８および図９）に含まれ、１つ以上の中間歯車３６、３８を通って出力歯車３４に連結される。入力歯車３２は、以下に記載されるように、歯車を選択的に回転させ、それによって機械プランジャを上昇および下降させるために、入力デバイスに連結される。モータまたは他のアクチュエータ駆動型の入力も検討されるが、例示的な実施形態では、この入力デバイスは、手動クランク４０を備える。歯車３２〜３８は、基部４２および蓋４４を含む筐体の中に取り込まれる。筐体は好ましくは、潤滑油を筐体の中に取り込むように、適切に密封される。
【００１０】
出力歯車３４は、アセンブリの中でカバー４４の中の開口部４８および基部４２の中の開口部５０と一列に並ぶ、内部ねじ式中央開口部４６を有する。中空外部ねじ式シャフト５２（図２〜図３および図５〜図８）は、開口部４８、５０を通って伸長し、出力歯車３４の内部ねじ式中央開口部４６にねじ付けされ、そこから伸長する。装着フランジ５４は、中空内部ねじ式シャフト５２の上端に固定することができる。プランジャ支持材５６は、好ましくは、シャフト装着フランジ５４に固定されることにより、中空外部ねじ式シャフト５２の上端に装着される。本発明の例示的な実施形態におけるプランジャ支持材５６は、プランジャフット５８を含み、そこにねじ等６１によってプランジャソールプレート６０が装着される。ソールプレート６０の中のねじ６１用の開口部はわずかに拡張され、ソールプレートがプランジャフットと対して浮くことができるように、ワッシャ６３がねじ６１の頭の土台となっている。このようにして、ソールプレート６０に装着されたプランジャ２６は、プランジャが上昇するにつれて、上部プランジャカラー６５とともに中央に置かれる（図１）。プランジャソールプレート６０は、動作用空気（プランジャ上昇およびプランジャ下降）とプランジャ冷却用空気とを、ソールプレート６０に装着されたプランジャ２６（図１および図２）に送給するための複数の空気排気ポート６４を備える、上部面６２（図３および図５）を有する。ポート６４はまた、プランジャ２６から排気された冷却用空気を、以下に記載されるように支持材５６の内側に送給する。プランジャソールプレート６０はまた、プランジャをソールプレート上に設置し、ソールプレート６０の面６２の対応する開口部６４を有するプランジャの底部の空気吸入および排気ポートを一列に並べるための、ピン６６等を含むことができる。
【００１１】
テレスコープ用チューブアセンブリ７０は、ソールプレート６０上の各プランジャ位置に設けられる。したがって、ソールプレート６０上に３つのプランジャ位置がある例示的な実施形態では、図３において最良に示されるように、３つのテレスコープ用チューブアセンブリ７０がある。テレスコープ用チューブアセンブリは、好ましくは、同一である。各テレスコープ用チューブアセンブリ７０は、図１および図２に図示されるように、区電箱の基部プレート２０に装着するための基部７２を含む。基部７２は、プランジャの上昇、プランジャの下降、およびプランジャ冷却用空気を適した空気圧制御機構から受け取るための入力ポート７４、７６、７８を有する。外側チューブ８０、８２、８４は、基部７２内の吸気ポート７４、７６、７８にそれぞれ接続される、開いた上端を有する。外側チューブ８０、８２、８４の下端は、図４に最良に示されるように、閉じている。内側チューブ８６、８８、９０は、シール９１によって個別の外側チューブ８０、８２、８４の中に摺動自在に装着される。内側チューブ８６、８８、９０の下端は、開いている。内側チューブの上端は、同様に開いており、プランジャフット５８の中の対応する開口部９２、９４、９６（図７）を通って伸長する。内側チューブ８６、８８、９０の上端は、かかる上端をソールプレート開口部の中に取り込むように拡張される。これは、好ましくは、内側チューブ８６、８８、９０の開いた上端の周囲に固定された環状カラー９８によって達成される。カラー９８は、開口部９２、９４、９６の中の皿ポケットの中に据えられる。環状シール１００は、付随する内側チューブの上端を取り囲む各カラー９８の中に受け取られる。プランジャソールプレート６０が、図１〜図５に図示されるようにプランジャフット５８に固定される場合、内側チューブの上端は、ソールプレート６０の下面上の対応する空気吸入開口部と一列に並び、これを密封するように取り囲む。かかるそれぞれの吸気開口部は、ソールプレート上部面６２の中のポート６４を終点とする、ソールプレートの中の対応する通路と接続する。したがって、例えば、プランジャの上昇、プランジャの下降およびプランジャ冷却用空気は、図６の吸気ポート７４、７８、７６から、外側チューブ８０、８４、８２および内側チューブ８６、９０、８８を通って、ソールプレート６０の中の対応する通路およびポートに、次に、ソールプレートに装着された、プランジャの対応する吸気口に送給することができる。
【００１２】
例示的な実施形態におけるソールプレート６０は、ねじによって１１４本体１１０に固定されるプレート本体１１０と、プレートカバー１１２とを含む。空気通路および排気ポート６４は、機械加工されるか、または別様にプレート本体６４の中に設けられ、吸気ポートは、チューブ８６、８８、９０の端部およびプレート本体１１０の中の付随する通路と一列に並ぶように、カバー１１２の中に設けられる。この構造は例示的なものである。
【００１３】
プランジャフット５８は、好ましくはほぼ長方形であり（プランジャソールプレート６０がそうであるように）、プランジャフットの上部表面は、好ましくは、開口部１０４を通って外部ねじ式シャフト５２の中空の内側と通信するポケット１０２（図６および図７）を含む。ソールプレート６０上のすべての冷却用空気排出路は、ポケット１０２の中に開いている。例示的な実施形態では、シャフト５２は、エンボス１１８を通ってポケット１０２の中に伸長するねじ１１６によって、プランジャフット５８の裏面に固定される。ポケット１０２は、好ましくは、プランジャフット５８の中の中央に配置され、持ち上げられたリム１０６によって取り囲まれ、持ち上げられたリム１０６を通って内側チューブ８６、８８、９０が伸長する。したがって、開口部９２、９４、９６（例示的な実施形態では、３つのプランジャ２６を備える３つの組）を取り囲む皿ポケットは、図６および図７に最良に示されるように、持ち上げられたリム１０６の中に配置される。プランジャソールプレート６０に装着されたすべてのプランジャから排出された冷却用空気は、プランジャ基部の中の冷却用排気ポートと一列に並ぶ、対応する開口部を通って、次にプランジャソールプレート６０を通って、ポケット１０２によってソールプレート６０の下に形成される空洞に送給される。このプランジャ冷却用排気は、開口部１０４を通って、次に外部ねじ式シャフト５２の中空の内側を通ってポケット１０２から送給され、ガラス製品成形機から排出される。
【００１４】
したがって、テレスコープ用チューブアセンブリ７０は、プランジャの垂直に調整された位置から独立して、プランジャ上昇、プランジャ下降およびプランジャ冷却用空気の各プランジャへの入力を提供する。テレスコープ用チューブアセンブリはまた、プランジャフット５８、プランジャソールプレート６０およびプランジャソールプレート６０に装着されたプランジャ２６の垂直調整を適合させる。垂直調整は、歯車ボックス３０および中空外部ねじ式シャフト５２によって達成され、この上にプランジャ支持材５６（好ましくは、プランジャフット５８およびプランジャソールプレート６０を含む）が装着される。さらに、すべてのプランジャからのプランジャ冷却用排気は、外部ねじ式シャフト５２の中空の内側を通って共通排気孔に送給される。本発明のプランジャフットアセンブリは、サイズの異なるガラス製品成形機と組み合わせて使用可能であり、空気の動作または冷却のためのホース等の使用を必要としない。歯車ボックスのプレアセンブリは、固定歯車を互いからの固定距離で使用することを可能にする。公差の問題は克服され、歯車が故障する可能性は大幅に低減される。１つのプランジャフットおよび装着構造は、種々のサイズの機械ならびに／またはサイズおよび間隔のプランジャ用に機能することができる。プランジャのサイズおよび／または間隔は、ソールプレートを取り替えることによって変更することができる。
【００１５】
したがって、上述されるすべての目的および目標を完全に満たすプランジャフットアセンブリが開示される。本発明は、例示的な実施形態と組み合わせて提示され、変形および変更についても記載されている。他の変形および変更は、前述の記載を考慮して当業者に自ら容易に示唆するであろう。本発明は、すべてのかかる実施形態、ならびに変形および変更を、添付の請求項の精神および広範にわたる範囲の中に入るように包含することを意図する。
【図１】
2010540382.tif 000003
【図２】
2010540382.tif 000004
【図３】
2010540382.tif 000005
【図４】
2010540382.tif 000006
【図５】
2010540382.tif 000007
【図６】
2010540382.tif 000008
【図７】
2010540382.tif 000009
【図８】
2010540382.tif 000010
【図９】
2010540382.tif 000011
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
ガラス製品成形機の区電箱の基部プレート（２２）に装着するためのプランジャフットアセンブリであって、
前記区電箱の基部プレートに装着するための歯車ボックス（３０）と、
前記歯車ボックスにねじ付けされ、前記歯車ボックスから伸長する外部ねじ式シャフト（５２）と、
前記歯車ボックスが前記プランジャ支持材を上昇および下降させるように、前記外部ねじ式シャフトに装着されたプランジャ支持材（５６）と、
前記プランジャ支持材に空気を送給するための少なくとも１つのテレスコープ用チューブアセンブリ（７０）と、を含み、
前記歯車ボックス（３０）は、予め組み立てられており、入力歯車（３２）、および内部ねじ式中央開口部を備える出力歯車（３４）を有し、
前記ねじ式シャフト（５２）は、中空であり、前記出力歯車の回転が前記プランジャ支持材を上昇および下降させるように、前記内部ねじ式中央開口部から伸長し、
前記プランジャ支持材は、上部面に前記プランジャ開口部の空気ポートを有する少なくとも１つのプランジャ（２６）を装着するための前記面を有し、かつプランジャ上昇、プランジャ下降、およびプランジャ冷却用空気を前記プランジャ支持材に装着されたプランジャの空気ポートへと送給するための空気通路と、冷却用排気を前記支持材に装着されたプランジャから前記外部ねじ式シャフトの中空の内側へと送給するための冷却用空気排出路とを有し、
前記テレスコープ用チューブアセンブリは、前記区電箱の基部プレート（２２）に装着するための基部（７２）と、プランジャの上昇、プランジャの下降、およびプランジャ冷却用空気を受け取るための吸気ポート（７４、７６、７８）を備えるテレスコープ用チューブ（８０〜９０）と、前記プランジャ支持材内の前記空気通路に連結する排気口と、を有することを特徴とする、プランジャフットアセンブリ。
【請求項２】
前記少なくとも１つのテレスコープ用チューブアセンブリ（７０）の前記吸気ポートは、前記テレスコープ用チューブアセンブリの前記基部（７２）上にある、請求項１に記載のプランジャフットアセンブリ。
【請求項３】
前記テレスコープ用チューブアセンブリ（７０）は、前記基部から吊設され、前記吸気ポートに接続される個別の上部吸気端部を有する、３つの外側チューブ（８０、８２、８４）と、前記外側チューブ内に摺動自在であり、前記プランジャ支持材（５６）に接続される個別の上部出口端部を有する、３つの内側チューブ（８６、８８、９０）とを含む、請求項２に記載のプランジャフットアセンブリ。
【請求項４】
前記プランジャ支持材（５６）は、前記中空外部ねじ式シャフト（５２）に装着されたプランジャフット（５８）と、前記プランジャフットに装着されたプランジャソールプレート（６０）であって、前記プランジャソールプレートに装着されたプランジャの吸気ポートの有効な連結のために、前記内側チューブの前記上部出口端部と、前記プランジャソールプレートの前記上部面上の出口端部とに連結された吸気端部を備える空気通路を有する、前記プランジャソールプレートとを含む、請求項３に記載のプランジャフットアセンブリ。
【請求項５】
前記内側チューブ（８６、８８、９０）の前記上部出口端部は、前記プランジャソールプレート（６０）の下面と前記プランジャフット（５８）を通って密封係合して伸長する、請求項１〜４のいずれか１項に記載のプランジャフットアセンブリ。
【請求項６】
前記内側チューブ（８６、８８、９０）の前記上部出口端部は、前記プランジャソールプレート（６０）の前記下面と密封係合している前記プランジャフット（５８）上のポケット（９２、９４、９６）の中に据えられる、拡張した端部を有する、請求項５に記載のプランジャフットアセンブリ。
【請求項７】
前記拡張した端部は、前記内側チューブの前記上部出口端部に固定される環状カラー（９８）と、前記プランジャソールプレートの前記下面との密封係合のために、前記カラーによって運ばれる、環状シール（１００）とを含む、請求項６に記載のプランジャフットアセンブリ。
【請求項８】
前記ソールプレート（６０）は、前記プランジャフット（５８）に対して浮くように装着される、請求項７に記載のプランジャフットアセンブリ。
【請求項９】
前記プランジャソールプレート（６０）は、前記プランジャソールプレートに装着されたプランジャからの冷却用排気を、前記プランジャフット（５８）を通って前記中空外部ねじ式シャフト（５２）へと送給するための通路を含む、請求項４に記載のプランジャフットアセンブリ。
【請求項１０】
前記プランジャフット（５８）は、前記中空外部ねじ式シャフトの上端を取り囲むポケット（１０２）を備える上部表面を含み、前記プランジャソールプレート（６０）は、プランジャ排気を、前記プランジャソールプレートを通って前記ポケットに、およびそこから前記中空外部ねじ式シャフトへと送給するための通路を含む、請求項９に記載のプランジャフットアセンブリ。
【請求項１１】
前記プランジャフット（５８）の前記上部表面上の前記ポケット（１０２）は、前記プランジャフットの中央に位置づけられ、前記内側チューブの前記上部出口端部は、前記プランジャフットの外周を囲う位置で、前記プランジャフットを通って伸長する、請求項１０に記載のプランジャフットアセンブリ。
【請求項１２】
前記プランジャフット（５８）および前記プランジャソールプレート（６０）を含む前記プランジャ支持材（５６）は、長方形である、請求項１１に記載のプランジャフットアセンブリ。
【請求項１３】
前記プランジャ支持材（５６）は、３つのプランジャ（２６）を前記支持材に装着するための空気通路および排気孔を有し、前記少なくとも１つのテレスコープ用チューブアセンブリ（７０）は、それぞれのプランジャに１つが前記支持材上に装着された、３つのテレスコープ用チューブアセンブリを備える、請求項３に記載のプランジャフットアセンブリ。
【国際調査報告】
2010540382.tif 000012
2010540382.tif 000013
2010540382.tif 000014